【事件の表示】
　特願２０１１−１２６４１５「タッチパネル付き装置の制御方法及びタッチパネル付き装置」拒絶査定不服審判事件〔平成２３年１１月１０日出願公開、特開２０１１−２２７９１３〕について、次のとおり審決する。
【結　論】
　本件審判の請求は、成り立たない。
【理　由】
１．手続の経緯・本願発明
　
　本願は、平成１８年１０月３０日に出願した特願２００６−２９４０６６号の一部を平成２３年６月６日に新たな特許出願としたものであって、平成２３年７月２９日付けで拒絶理由が通知され、同年９月１４日付けで手続補正がなされ、同年１２月１５日付けで最後の拒絶理由が通知され、平成２４年２月１７日付けで手続補正がなされたが、同年５月１０日付けで前記平成２４年２月１７日付け手続補正の却下の決定がなされるとともに拒絶査定がなされ、これに対して、同年８月１０日に拒絶査定不服の審判が請求されるとともに手続補正がなされ、平成２５年７月１８日付けで当審において拒絶理由が通知され、同年９月１９日付けで手続補正がなされたものである。
　そして、本願の特許請求の範囲の請求項１に係る発明（以下、「本願発明」という。）は、平成２５年９月１９日付け手続補正書の特許請求の範囲に記載された次のとおりのものと認める。
　「【請求項１】
　タッチパネル付き装置の制御方法であって、
　前記装置が、縮小表示可能なキーレイアウトを表示している状態で、前記タッチパネルがなぞられることで、当該表示しているキーレイアウトを表示可能領域の端部から離れた当該表示可能領域内の位置に移動するステップと、
　前記装置が、縮小表示可能なキーレイアウトを表示している状態で、前記タッチパネルがなぞられることで、当該表示しているキーレイアウトの各キーの面積を変更するステップと、
を含む、
　ことを特徴とするタッチパネル付き装置の制御方法。」
　
２．引用例等
　
　当審の拒絶理由に引用された、本願の遡及日前に頒布された、米国特許出願公開第２００４／０１８３８３４号明細書（以下、「引用例１」という。）には、図面とともに以下の事項が記載されている。
　
ａ）「[0001]  The present invention is generally directed to electronic input devices and, is more particularly directed to software implemented input applications. 
 DESCRIPTION OF RELATED ART
[0002]  The advent of touch screen technology laid the foundation for soft input devices. Soft input devices, such as keypads, keyboards, and the like, are generally input devices that are implemented in software and are the interface between the computer functionality and typically a touch screen operable by the user. Devices such as information kiosks, industrial controls, building directories, automatic teller machines (ATMs), and the like have previously been implemented using touch screen displays with some embodiment of a software input interface. These interfaces may be configured as a keyboard, a numeric keypad, or some combination of standard keyboards and application specific user interface commands. 
[0003]  Beginning with APPLETM COMPUTER's NEWTONTM personal data assistant (PDA), touch screen technology was downsized to fit handheld computers. However, initial attempts to implement the user interface for these PDAs was through handwriting recognition software, which until relatively recently, was far from perfect. The next generation of PDA, such as PALM's PALM PILOTTM, HEWLETT-PACKARD'S iPAQTM PDAs (originally offered by COMPAQ), and the like, included not only improved handwriting recognition software, but also included alternative soft keyboards on which users are able to type input using a finger, stylus, or other such tool. 
[0004]  The next step in the evolution of personal computers (PCs) is to combine the power from a typical small-framed computer, such as a notebook or desktop computer, with the convenience of the PDA. One result of the combination is the tablet PC. 
The concept of a tablet PC comprise generally only a display for interfacing with a user.
The display,
 will also supply the input interface through touch screen technology implementing
関連する技術分野の説明
[0002]タッチスクリーン技術の出現は、”ソフト”入力デバイスの基盤を築きました。例えばキーパッド、キーボード、などの、ソフト入力デバイスは、通常、ソフトウェアで実現される入力デバイスであり、また、コンピュータ機能とユーザーによって操作可能な典型的にはタッチスクリーンとの間のインターフェースです。情報キオスク、産業用の制御器、建築物の案内、自動預入支払機（ATM）、などのようなデバイスは、ソフトウェア入力インターフェースのいくつかの実施例と共にタッチスクリーン・ディスプレイを使って、以前は実現されました。キーボード、テンキーパッド、または、標準的なキーボードと特定用途向けユーザ・インタフェースの命令のいくつかの組合せとして、これらのインターフェースは設定されるかもしれません。
[0003]APPLETM COMPUTERのNEWTONTM個人・データ・アシスタント（PDA）から始めて、タッチスクリーン技術は、ハンドヘルド・コンピュータに適合するために小型化されました。しかしながら、これらのPDA用のユーザーインターフェイスを実行することの初期の試みは、手書き文字認識ソフトウェアによってでした。それは、相対的に最近まで、完全なものからはほど遠いものでした。例えば、PALMのPALM PILOTTM、HEWLETT-PACKARDのiPAQTM PDA（当初COMPAQによって提供される）、などの、次世代のPDAは、改善された手書き文字認識ソフトウェアだけでなく、指、スタイラス、またはその他のそのような道具を使って、ユーザーが入力をタイプできる、新しいソフト・キーボードを含みました。
[0004]パソコン（PC）の進化における次のステップは、例えば、ノートブックまたはデスクトップ・コンピュータである、典型的に小さいフレームのコンピュータの力を、PDAの便利さと結合することです。組合せの1つの結果は、タブレットＰＣです。
タブレットＰＣの概念は、ユーザーとインターフェースするディスプレイのみから一般的に成り
このディスプレイは
タッチスクリーン技術を実行することによる入力インターフェースの供給も行う
　
ｂ）「[0021]  FIG. 2  is a diagram illustrating PDA  20  with user-configurable software keyboard  200  implemented according to the teachings of representative embodiments of the present invention. In order to overcome the limitations of the stationary soft keypads, PDA  20  includes user-configurable software keyboard  200  which is rendered with the appropriate graphical data into an independent free-floating window on display  202 . By actuating locking key  201 , the user can change the visual attributes and appearance by re-sizing and/or moving software keyboard  200  to any part of display  202 . Locking key  201  assists by temporarily locking the size and position of software keyboard  200  when the user is working normally. The lock can then be de-activated when the user desires to change software keyboard  200  in any way. It should be noted that locking key  201  is an optional feature on software keyboard  200 . Other methods for preventing inadvertent manipulation of software keyboard  200  may be used, such as providing for a double-click on the menu bar in order to release software keyboard  200  for manipulation. 
[0022]  As the user re-sizes software keyboard  200 , computer code automatically adjusts the size of the soft keys and the text on the soft keys. Thus, a sight- or manually-impaired individual may increase the size of the soft keys and the text indicators on those keys. The larger keys may be seen more easily by sight-impaired persons and may be easier to manipulate by manually-impaired individuals who may have reduced dexterity or may be required to operate a stylus with their teeth or a partially paralyzed limb. The larger keys may also facilitate easier interaction with those persons wearing gloves in cold, hot, or clean environments. Rendering logic for re-sizing screen objects is well known in the art and has been used in such applications as Web browsers, and the like. Users may also selectively change the size of individual soft keys on software keyboard  200 . Thus, the user may determine whether the keys are re-sized proportionally, individually, by group or class (i.e., alpha keys, numeric keys, control keys, and the like). This allows the user to make more common keys more accessible. 
[0023]  In addition to a user changing the size of software keyboard  200 , if the user is manipulating or entering text on the upper portion of display  202 , he or she may wish to move the entire keyboard from its first position  203 , at the bottom of display  202 , to position  204  just below the top and to the left side of display  202  by changing the positioning data used to render display  202 . By moving software keyboard  200  to position  204 , the user decreases the distance for typing and watching the input, and for manipulating data. Also, left-handed users may desire to move the position of software keyboard  200  to better facilitate data entry for those users. Allowing software keyboard  200  to be moved and customized by the user at runtime, the ergonomics of the data entry may be increased. Computer code for re-positioning objects is also well known in the art and has been used in such applications as MICROSOFT WINDOWSTM, APPLE COMPUTER's MAC OSTM, and other windows-styled applications. 
[0024]  
FIG. 3  is a diagram illustrating tablet PC  30  with user-configurable soft keypad  300
[0025]  
The distance between display area  301  and soft keypad  300  is much greater than that for a PDA, thus the user may want to move the position of soft keypad  300 . For example, the user may desire to drag soft keypad  300  to any of areas  302 - 304 .
In addition, 
the user can re-size soft keypad  300  to make the key size more compatible with his or her finger size.
[0022]ユーザーがソフトウェア・キーボード200の大きさを変更すると、コンピュータ・コードは、ソフト・キーとソフト・キー上のテキストのサイズを自動的に調節します。このように、視覚または手の能力が落ちた個人は、ソフト・キーとそれらのキーの上のテキスト表示のサイズを増やせるでしょう。より大きなキーは視覚障害をもつ人によってより簡単に見られるかもしれなく、また、減少した器用さを有するかもしれなく、または、彼らの歯または部分的に麻痺している手でスタイラスを操作することを必要とするかもしれない、手の能力が落ちた個人によって操作するのがより簡単かもしれない。より大きなキーは、寒い、熱い、または清浄な環境の中で手袋をつけている人との、より簡単な対話を促進するでしょう。スクリーンのオブジェクトの大きさを変更するための描画ロジックは周知の技術で、ウェブ・ブラウザなどのようなアプリケーションで使われてきました。ユーザーは、ソフトウェア・キーボード200上の個々のソフト・キーの寸法を選択的に変えられるでしょう。このように、ユーザーは、比例的に、個別的に、又は、グループやクラスによって（例えば、アルファキー、数字キー、コントロールキーなど）、キーのサイズを変更するかどうか決められるでしょう。このことにより、ユーザーは、より一般的なキーをより押しやすくすることができます。
[0023]ソフトウェア・キーボード200の寸法を変えているユーザーに加えて、ユーザーがディスプレイ202の上部でテキストを操作しているまたは入力しているならば、彼または彼女は、ディスプレイ202の底部であるその最初の位置203から、ちょうど頂点部の下である位置204へ、そして、ディスプレイ202の左側へ、描画ディスプレイ202により使用される位置決めデータの変更により、全てのキーボードを動かしたいかもしれません。ソフトウェア・キーボード200を位置204へ動かすことによって、ユーザーは、入力をタイプしそして見るための、また、データを操作するための距離を減少させます。また、左利きのユーザーは、それらのユーザーのためにデータ入力をより容易にするためにソフトウェア・キーボード200の位置を動かすことを望むかもしれません。実行時に、ソフトウェア・キーボード200がユーザーによって動かされ、カスタマイズされるのを許可することは、データ入力の使い勝手を増加させるかもしれません。オブジェクトの再配置のためのコンピュータ・コードもまた周知の技術であり、また、MICROSOFT WINDOWSTM、APPLE COMPUTERのMAC OSTMと他のウインドウズ形式のアプリケーションのようなアプリケーションで使われています。
[0024]
図3は、
ユーザー設定可能なソフト・キーパッド300を有するタブレットＰＣ 30を例示している図
[0025]
表示領域301とソフト・キーパッド300の間の距離は、PDAのそれより非常に大きい
このため、ユーザーは、ソフト・キーパッド300の位置を動かしたいかもしれません。たとえば、ユーザーは、領域302 - 304のどれにでも、ソフト・キーパッド300をドラッグすることを望むかもしれません
これに加えて、
ユーザーは、キー・サイズを彼または彼女の指サイズとより互換性を持つようにするために、ソフト・キーパッド300のサイズを変更することができます
　
　してみると、引用例１には以下の発明（以下、「引用例１記載の発明」という。）が記載されている。
　「タブレットＰＣの概念は、ユーザーとインターフェースするディスプレイのみから一般的に成り、
　このディスプレイは、タッチスクリーン技術を実行することによる入力インターフェースの供給も行うものにおいて、
　ユーザー設定可能なソフト・キーパッド300を有するタブレットＰＣ 30では、
　表示領域301とソフト・キーパッド300の間の距離は、PDAのそれより非常に大きく、
　このため、ユーザーは、ソフト・キーパッド300の位置を動かしたいかもしれず、
　たとえば、ユーザーは、領域302 - 304のどれにでも、ソフト・キーパッド300をドラッグすることを望むかもしれず、
　これに加えて、
　ユーザーは、キー・サイズを彼または彼女の指サイズとより互換性を持つようにするために、ソフト・キーパッド300のサイズを変更することができるタブレットＰＣ。」
　
　当審の拒絶理由に引用された、本願の遡及日前に頒布された、特開２００３−３１６４９０号公報（以下、「引用例２」という。）には、図面とともに以下の事項が記載されている。
　
ｃ）「【０１３８】図１７は本発明の実施の形態６に係る遠隔操作方法を表すフローチャートであり、図１８はサーバコンピュータの表示装置及び遠隔操作端末装置の表示装置の画面上に表示される画像の一例を示す図である。
【０１３９】図１７において、まず、利用者が、遠隔操作端末装置１１０の
表示装置１１２の画面上に表示されているソフトキーボードを、マウス、ライトペン等の入力装置１１３を用いて移動させる指示を入力をした場合、
【０１４０】ここで、
入力装置１１３による移動量の入力の方法は、例えば、マウスを用いてソフトキーボードの画像を選択したままドラッグすることにより、ドラッグによる移動方向及び移動距離として入力する方法や、図１８（ｂ）に示すように、ライトペンを用いてソフトキーボードを選択したまま矢印Ｂの方向にドラッグすることにより、ドラッグによる移動方向及び移動距離として入力する方法などが採られる
【０１４１】ステップＳ６１で、サーバコンピュータ１００における受信データ解析手段７０３は、受信したデータを解析し、データの内容がソフトキーボード表示位置移動要求信号である場合には、ソフトキーボード移動要求手段７０１はソフトキーボードの移動方向の情報を含むソフトキーボード移動要求信号を出力する。次いで、表示位置移動手段７０２は、要求された移動方向が上方向もしくは下方向を含んでいるか否かを判断する。
【０１４２】移動方向が上方向もしくは下方向でない、即ち横方向のみであれば、ソフトキーボードが遠隔操作端末装置１１０の表示画面からはみ出してしまうため、表示位置移動手段７０２はソフトキーボードの表示位置の変更は行なわずに動作を終了する。
【０１４３】ステップＳ６２で、
表示位置移動手段７０２は、移動方向が下方向であるかどうかを判断する。下方向であれば、ステップＳ６３へ進む
【０１４４】
ステップＳ６３で、表示位置移動手段７０２は、ソフトキーボードの現在の表示位置が遠隔操作端末装置１１０の表示装置１１２の画面の上端に相当する部分にあるかどうかを判断する。ソフトキーボードが表示装置１１２の画面の上端にある場合は、ステップＳ６４へ進む。ソフトキーボードが表示装置１１２の画面の下端にある場合は、ソフトキーボードを更に下方に移動させると表示装置１１２の画面からはみ出してしまうため、表示位置移動手段７０２は表示位置の変更は行わずに終了する
　
　本願の遡及日前に頒布された、特開２００４−５４５８９号公報（以下、「周知例１」という。）には、図面とともに以下の事項が記載されている。
　
ｄ）「【００３３】
図６に示すように、文字入力欄２２が選択されると（ステップＳ１）、画面要素選択モードからキー入力モードに切り替わり、図７に示すように、画面３には非表示ソフトウェアキーボード（仮想キーボード）のホームポジションを表すマーカ２３が表示される（ステップＳ２）。これにより不可視化されたソフトウェアキーボードが有効となる（ステップＳ３）。ユーザは、非表示ながらマーカ２３を基準として画面３上に割付けられている非表示ソフトウェアキーボードを用いて、通常のハードウェアキーボードを扱うようにして文字入力欄２２に文字入力が行える。図７には、説明のために、本来であれば表示されないソフトウェアキーボードを破線で示してある。」（【００３３】の記載。）
　
ｅ）「【００３７】
上述の処理におけるステップＳ２及びステップＳ３では、キー入力モードに切り換えられた直後からソフトウェアキーボードを不可視化し、仮想キーボードのマーカ２３のみ表示しているが、予め決められた操作によってソフトウェアキーボードを表示させることもできる。
ソフトウェアキーボードの不可視化のしかた（表示のしかた）には種々の形態がある
【００３８】
一例として、
キー入力モードに切り換えられた直後にはマーカ２３と共に画面３に表示される情報が遮蔽されないようにソフトウェアキーボードを半透明で表示
【００３９】
また、別の例として、ソフトウェアキーボードが不可視化された後であっても、所定期間以上キー入力が行われない場合、非表示ソフトウェアキーボードを表示する。このとき、画面３上に表示される情報がソフトウェアキーボードによって遮蔽されないように半透明で表示する。
【００４０】
また、
ソフトウェアキーボードは、ユーザの手の大きさ及び指間隔等に応じて、サイズ、
を自由に変更できる
【００４１】
非表示ソフトウェアキーボードの割付けを変更する手法の具体例として、ホームポジションを表すマーカ２３に触れて画面３上を移動し、マーカ２３同士の位置関係を変更する方法があげられる
ユーザがマーカ２３に触れて間隔を広げると、図９に示すように、キー割付がマーカ間隔に相似して拡張される
【００４２】
情報処理装置１によれば、
ソフトウェアキーボードの圧力検出パネル４での割付けをマーカ２３の間隔に応じたサイズで、且つ移動先のマーカ２３の位置を基準として変更できる
　
　本願の遡及日前に、インターネットを通じて公衆に利用可能であった、アトランティス堂、「ソフトウェアキーボード　PIGYソフトウェアキーボード Ver1.22」の圧縮ファイル「pboard122.zip」（インターネット・アーカイブ＜ＵＲＬ：http://web.archive.org/web/20060527185653/http://www.atlantisdo.com/software/pboard/＞のＷｅｂページの「最新版　pboard122.zip(369KB)をダウンロードする。」に張られたリンク先である、＜http://web.archive.org/web/20060527185653/http://www.atlantisdo.com/software/pboard/pboard122.zip＞より入手。）には、該圧縮ファイル「pboard122.zip」を解凍して得られる「pboard.txt」（以下、「周知例２」という。）に、テキストデータとして、次のとおり記載されている。
　
ｆ）「PIGYソフトウェアキーボード Ver1.22
　　　　※非商用利用に限りフリーソフト
　　　　　 最終更新日2006年1月30日」
　
ｇ）「■概要
PIGYソフトウェアキーボードは以下のような特徴をもったソフトウェアキーボードです。
ジョイスティックのみでWindowsのほぼ全ての操作を行うことも可能です。
・
サイズ及び縦横比を自由に変更できる
・キーレイアウトやキーの形、個数も自由に設定変更できる。
・外観（スキン）の変更ができる。
・キーリピートがある。
・キーのダウンとアップをちゃんとエミュレートしている。
・画面の半透過に対応している（Windows2000以降）
・ジョイスティック/ジョイパッドでマウス操作をエミュレートできる。
・右クリックの使えないタッチパネルでも入力が出来る。
・CTRL+XやALT+F4などの複合キーも簡単に設定できる。
■使用方法
右クリックでなんかささやかなメニューが出ます。
メニューからスキンを変更できます。
右下のギザギザ部分をドラッグするとサイズが変更できます
PIGYキーボードのボタン左クリックでアクティブなウィンドウに文字を送ります。
PIGYキーボードのボタン右クリックでシフトを押しながら押したことになります（重要）。
CTRLとSHIFTとALTのみ右クリックで押しっぱなしのON/OFFが出来ます。
「IME」ってボタンは日本語入力のON/OFFをします。
CAPSはSHIFTを押しっぱなしにしなくても単独で機能します。
２重起動で終了します。
マウスジャスチャーをONにするとマウスを右左右左と振るだけで表示を制御出来ます。
タッチパネルなどで使うときは特殊キーのロック条件を標準から変えてみて下さい。」
　
３．対比
　
　本願発明と引用例１記載の発明とを対比する。
　
あ）引用例１記載の発明の「タブレットＰＣ」は、「ディスプレイ」から成り、該「ディスプレイは、タッチスクリーン技術を実行することによる入力インターフェースの供給も行うもの」であるから、引用例１記載の発明の「タブレットＰＣ」は、本願発明の「タッチパネル付き装置」に相当する。
　
い）引用例１記載の発明の「ソフト・キーパッド300」は、「ユーザーは、キー・サイズを彼または彼女の指サイズとより互換性を持つようにするために、ソフト・キーパッド300のサイズを変更することができる」ものであるから、引用例１記載の発明の「ソフト・キーパッド300」は、本願発明の「縮小表示可能なキーレイアウト」に相当する。
　
う）引用例１記載の発明は、「ユーザーは、ソフト・キーパッド300の位置を動かしたいかもしれず、
　たとえば、ユーザーは、領域302 - 304のどれにでも、ソフト・キーパッド300をドラッグすることを望むかもしれ」ないもの、すなわち、「ソフト・キーパッド300」の位置を動かすために「ソフト・キーパッド300」がドラッグされるものであるから、引用例１記載の発明は、「ディスプレイ」の「ソフト・キーパッド300」の位置を動かすための「制御方法」を有するものであり、また、引用例１記載の発明の「ソフト・キーパッド300」の位置を動かすために「ソフト・キーパッド300」がドラッグされることは、本願発明の「前記装置が、縮小表示可能なキーレイアウトを表示している状態で、前記タッチパネルがなぞられることで、当該表示しているキーレイアウトを表示可能領域の端部から離れた当該表示可能領域内の位置に移動するステップ」と、「前記装置が、縮小表示可能なキーレイアウトを表示している状態で、前記タッチパネルがなぞられることで、当該表示しているキーレイアウトを移動するステップ」である点で共通するといえる。
　
え）引用例１記載の発明が、「ソフト・キーパッド300」の位置を動かすために「ソフト・キーパッド300をドラッグすること」に「加えて、」「キー・サイズを彼または彼女の指サイズとより互換性を持つようにするために、ソフト・キーパッド300のサイズを変更することができる」ことは、本願発明の「前記装置が、縮小表示可能なキーレイアウトを表示している状態で、前記タッチパネルがなぞられることで、当該表示しているキーレイアウトの各キーの面積を変更するステップ」と、「前記装置が、縮小表示可能なキーレイアウトを表示している状態で、当該表示しているキーレイアウトの各キーの面積を変更するステップ」である点で共通するといえる。
　
　したがって、両者は以下の一致点と相違点とを有する。
　
＜一致点＞
　
　「タッチパネル付き装置の制御方法であって、
　前記装置が、縮小表示可能なキーレイアウトを表示している状態で、前記タッチパネルがなぞられることで、当該表示しているキーレイアウトを移動するステップと、
　前記装置が、縮小表示可能なキーレイアウトを表示している状態で、当該表示しているキーレイアウトの各キーの面積を変更するステップと、
を含む、
　ことを特徴とするタッチパネル付き装置の制御方法。」
　
＜相違点１＞
　
　本願発明は「表示しているキーレイアウトを表示可能領域の端部から離れた当該表示可能領域内の位置に移動する」ものであるのに対し、引用例１記載の発明は「ソフト・キーパッド300」の移動先の位置が「表示可能領域」中の如何なる位置であるのかその関係が明記されていない点。
　
＜相違点２＞
　
　本願発明は「タッチパネルがなぞられることで、」「キーレイアウトの各キーの面積を変更する」ものであるのに対し、引用例１記載の発明は「ソフト・キーパッド300のサイズを変更することができる」と記載されるのみであり、どのような操作で「ソフト・キーパッド300のサイズを変更する」のか不明である点。
　
４．判断
　
＜相違点１について＞
　
　引用例１の図３には、「ソフト・キーパッド300」をドラッグする先の「表示領域301」の領域「302 - 304」として、「表示領域301」の端部から離れた位置が示されており、また、例えば、引用例２にソフトキーボードを表示装置の画面の上端や下端（画面からはみ出さない位置）におくことが記載されるように、「ソフト・キーパッド300」を「表示可能領域内」の如何なる位置に移動させるかは、当業者が適宜決定し得る設計事項にすぎない。
　したがって、引用例１記載の発明において、「ソフト・キーパッド300」を「表示可能領域の端部から離れた当該表示可能領域内の位置」にドラッグして上記相違点１に係る本願発明の構成を得ることは、当業者が容易になし得たことと認められる。
　
＜相違点２について＞
　
　周知例１に「ホームポジションを表すマーカ２３に触れて画面３上を移動し、マーカ２３同士の位置関係を変更する」ことにより「ソフトウェアキーボードの圧力検出パネル４での割付けをマーカ２３の間隔に応じたサイズ」に変更することが記載され、周知例２に、ソフトウェアキーボードにおいて、「右下のギザギザ部分をドラッグするとサイズが変更でき」ると記載されるように、ドラッグすること（本願発明の「なぞられること」に相当。）でキーレイアウトの各キーの面積を変更することは、本願の遡及日前周知技術である。
　したがって、引用例１記載の発明において、「表示領域301」がなぞられることで「ソフト・キーパッド300のサイズを変更」して上記相違点２に係る本願発明の構成を得ることは、当業者が容易になし得たことと認められる。
　
　そして、本願発明が奏する作用、効果についてみても、引用例１記載の発明及び周知技術から当業者が予想できる程度のものである。 
　
５．むすび
　
　以上のとおり、本願発明は、引用例１に記載された発明及び周知技術に基づいて、当業者が容易に発明をすることができたものであるから、特許法第２９条第２項の規定により特許を受けることができない。
　したがって、本願は、その他の請求項について検討するまでもなく、拒絶されるべきものである。
　よって、結論のとおり審決する。